(57)【特許請求の範囲】
【請求項１】
下水道管渠用枡の排水口に接続される取付け管に配される防臭装置であって、
前記取付け管内に配される本体部と、該本体部に連設されるとともに前記下水道管渠用枡の排水口に係止する係止手段とを有してなり、
前記本体部は、
ア．前記取付け管の内径よりも所定の隙間を保持する小径の外径を有し、基体をなす円筒体と、
イ．前記円筒体内に少なくとも６５°の所定の鉛直角度βをもって横断的に塞ぎ、中央部に下方に向けて開口部が形成される隔壁と、
ウ．前記隔壁に沿って取り付けられるとともに該隔壁の開口部を塞ぎ、枢着軸回りに回転して流水の流下方向にのみ開く開閉自在の弁体部と、
エ．ばね部と取付け用基部とからなり、前記弁体部の枢着軸に跨がって配されるとともに、前記取付け用基部が前記隔壁側に固定され、前記ばね部が開閉動作をなす弁本体部側に弾性をもって当接されてなる閉弁付勢手段と、
からなり、
前記係止手段は、前記本体部の後端の上部に腕部が延設され、該腕部に外径方向から着脱自在に装着される上方係止筒、及び、前記本体部の後端の両側面に外径方向から着脱自在に装着される側方係止筒からなる、
ことを特徴とする下水道管渠用防臭装置。
【請求項２】
請求項１において、円筒体の前後長は弁体部の取付け角度に対応して可及的小さくされる下水道管渠用防臭装置。
【請求項３】
請求項１又は２において、円筒体の外周には取付け管との隙間を塞ぐ水密かつ弾性を有する円環状のスペーサー体が装着されてなる下水道管渠用防臭装置。
【請求項４】
請求項３において、スペーサー体の厚さは上部が大きくされ、下部が小さくされる下水道管渠用防臭装置。
【請求項５】
請求項１ないし４のいずれかにおいて、弁体部に該弁体部の開弁方向とは逆に開弁するとともに、閉弁付勢手段により付勢されてなる副弁を有する下水道管渠用防臭装置。
【請求項６】
請求項１ないし５のいずれかにおいて、弁体部の下部には弁体部に固定され、弁座に被さるフィルム状のスカート体が装着されてなる下水道管渠用防臭装置。
【請求項７】
請求項１ないし６のいずれかにおいて、円筒体の後部には該円筒体の後方に向けて下水道管渠用枡の底部との摩擦をなす庇体が装着されてなる下水道管渠用防臭装置。
【請求項８】
下水道管渠用枡の排水口に鉛直角度αをもって接続される取付け管に配される防臭装置であって、
前記取付け管内に配される本体部と、該本体部に連設されるとともに前記下水道管渠用枡の排水口に係止する係止手段とを有してなり、
前記本体部は、
ア．前記取付け管の内径よりも所定の隙間を保持する小径の外径を有し、基体をなす円筒体と、
イ．前記円筒体内に少なくとも６５°の所定の鉛直角度βをもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の弁体部と、
エ．ばね部と取付け用基部とからなり、前記弁体部の枢着軸に跨がって配されるとともに、前記取付け用基部が前記隔壁側に固定され、前記ばね部が開閉動作をなす弁本体部側に弾性をもって当接されてなる閉弁付勢手段と、
からなり、
前記係止手段は、前記本体部の後端の上部に腕部が延設され、該腕部に外径方向から着脱自在に装着される上方係止筒、及び、前記本体部の後端の両側面に外径方向から着脱自在に装着される側方係止筒からなり、
前記本体部の前記取付け管内への設置において、α＋β≧９０°の関係を有する、
ことを特徴とする下水道管渠用防臭装置。
【発明の詳細な説明】
【技術分野】
【０００１】
この発明は、下水道管管渠における管渠用設備の雨水・汚水枡等の管渠用枡に適用される防臭装置に関し、更に詳しくは、当該管渠用枡の取付け管に装着される防臭装置に関する。
本発明は特には、ピン、ヒンジ等の枢着軸回りに弁体を開閉する枢着式開閉弁の強制閉塞機構を備えた下水道管渠用防臭装置に関する。
【背景技術】
【０００２】
下水道管渠用枡における取付け管に挿入設置される防臭装置につき、円筒体本体内にピン、ヒンジ回りに開閉する開閉枢着式開閉弁を備え、その閉弁作用により下水道管渠からの臭気を防止する提案（先行技術）がなされているが、これらの先行技術においては、開閉弁体の取付け角度が４５°程度であり、円筒体の前後長も長くなり、装置全体では前後長が長いものとなり、大型なものとなっている。
このため、先行技術においては、狭い雨水・汚水枡内での作業性が悪く、また取付け管への挿入において取付け管の管口部が短い場合、及び該取付け管が急な下降角度をなす場合には設置が困難となる事態も生じている。
【発明の開示】
【発明が解決しようとする課題】
【０００３】
本発明は上記実情に鑑みなされたものであり、この種の枢着式開閉弁を備えた防臭装置において、その円筒体の前後の長さを可及的短くし、下水道管渠用枡内での作業性の向上を図り、取付け管の管口部が短い場合、及び急角度の取付け管への装着も容易になし得ることのできる新規な下水道管渠用防臭装置を得ることを目的とする。
本発明はこのため、開閉弁体をどのような角度においても強制閉弁することによりこの目的を達成し得るとの知見のもとになし得たものである。
本発明は併せて、この下水道管渠用防臭装置の取付け管への設置に有効な補助手段、特には係合手段、密封手段を提供することも他の目的とする。
【課題を解決するための手段】
【０００４】
本発明は上記目的を達成するため、具体的に以下の構成を採る。
本発明の第１は下水道管渠用防臭装置に係り（以下「第１発明」という）、
請求項１に記載のとおり、
下水道管渠用枡の排水口に接続される取付け管に配される防臭装置であって、
前記取付け管内に配される本体部と、該本体部に連設されるとともに前記下水道管渠用枡の排水口に係止する係止手段とを有してなり、
前記本体部は、
ア．前記取付け管の内径よりも所定の隙間を保持する小径の外径を有し、基体をなす円筒体と、
イ．前記円筒体内に少なくとも６５°の所定の鉛直角度βをもって横断的に塞ぎ、中央部に下方に向けて開口部が形成される隔壁と、
ウ．前記隔壁に沿って取り付けられるとともに該隔壁の開口部を塞ぎ、枢着軸回りに回転して流水の流下方向にのみ開く開閉自在の弁体部と、
エ．ばね部と取付け用基部とからなり、前記弁体部の枢着軸に跨がって配されるとともに、前記取付け用基部が前記隔壁側に固定され、前記ばね部が開閉動作をなす弁本体部側に弾性をもって当接されてなる閉弁付勢手段と、
からなり、
前記係止手段は、前記本体部の後端の上部に腕部が延設され、該腕部に外径方向から着脱自在に装着される上方係止筒、及び、前記本体部の後端の両側面に外径方向から着脱自在に装着される側方係止筒からなる、
ことを特徴とする。
本第１発明は以下の第１・第２実施形態に具体的に示される。
上記構成において、
1)円筒体の前後長は弁体部の取付け角度に対応して可及的小さくされること、
2)円筒体の外周には取付け管との隙間を塞ぐ水密かつ弾性を有する円環状のスペーサー体が装着されてなること、
3)上記2)において、スペーサー体の厚さは上部が大きくされ、下部が小さくされること、
4)弁体部に該弁体部の開弁方向とは逆に開弁するとともに、閉弁付勢手段により付勢されてなる副弁を有すること、
5)弁体部の下部には弁体部に固定され、弁座に被さるフィルム状のスカート体が装着されてなること、
6)円筒体の後部には該円筒体の後方に向けて下水道管渠用枡の底部との摩擦をなす庇体が装着されてなること、
は適宜採択される技術的事項である。
【０００５】
（作用）
本下水道管渠用防臭装置Ｓの取付け管６への設置作業において、係止手段９は上方係止手段９Ａ、側方係止手段９Ｂが適宜選択される。また、スペーサ体１０が適宜装着される。
本下水道管渠用防臭装置Ｓの取付け管６への設置において、弁体部１５は鉛直状態になっても、弁体部１５の弁本体部１５ｂは閉弁付勢手段１６の付勢力を受けて弁座に当接され、閉塞状態を採る。これにより、確実に防臭作用を発揮する。
雨水等の流体が弁体部１５の開方向に作用するとき、流体は弁体部１５に作用する付勢力に抗して弁本体部１５ｂを開き、弁口１５ｃより通過する。
【０００６】
本発明の第２は、第１発明を更に特定して急傾斜の取付け管に適用される下水道管渠用防臭装置に係り（以下「第２発明」という）、請求項８に記載のとおり、
下水道管渠用枡の排水口に鉛直角度αをもって接続される取付け管に配される防臭装置であって、
前記取付け管内に配される本体部と、該本体部に連設されるとともに前記下水道管渠用枡の排水口に係止する係止手段とを有してなり、
前記本体部は、
ア．前記取付け管の内径よりも所定の隙間を保持する小径の外径を有し、基体をなす円筒体と、
イ．前記円筒体内に少なくとも６５°の所定の鉛直角度βをもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の弁体部と、
エ．ばね部と取付け用基部とからなり、前記弁体部の枢着軸に跨がって配されるとともに、前記取付け用基部が前記隔壁側に固定され、前記ばね部が開閉動作をなす弁本体部側に弾性をもって当接されてなる閉弁付勢手段と、
からなり、
前記係止手段は、前記本体部の後端の上部に腕部が延設され、該腕部に外径方向から着脱自在に装着される上方係止筒、及び、前記本体部の後端の両側面に外径方向から着脱自在に装着される側方係止筒からなり、
前記本体部の前記取付け管内への設置において、α＋β≧９０°の関係を有する、
ことを特徴とする。
本第２発明は以下の第１実施形態に具体的に示される。
上記構成において、
1)円筒体の前後長は弁体部の取付け角度に対応して可及的小さくされること、
2)円筒体の外周には取付け管との隙間を塞ぐ水密かつ弾性を有する円環状のスペーサー体が装着されてなること、
3)上記2)において、スペーサー体の厚さは上部が大きくされ、下部が小さくされること、
4)弁体部に該弁体部の開弁方向とは逆に開弁するとともに、閉弁付勢手段により付勢されてなる副弁を有すること、
5)弁体部の下部には弁体部に固定され、弁座に被さるフィルム状のスカート体が装着されてなること、
6)円筒体の後部には該円筒体の後方に向けて下水道管渠用枡の底部との摩擦をなす庇体が装着されてなること、
は適宜採択される技術的事項である。
【０００７】
（作用）
本下水道管渠用防臭装置Ｓの取付け管６への設置作業において、係止手段９は上方係止手段９Ａ、側方係止手段９Ｂが適宜選択される。また、スペーサ体１０が適宜装着される。
本下水道管渠用防臭装置Ｓの取付け管６への設置において、弁体部１５は水平より９０°を超えるが、弁体部１５の弁本体部１５ｂは閉弁付勢手段１６の付勢力を受けて弁座に当接され、閉塞状態を採る。これにより、確実に防臭作用を発揮する。
雨水等の流体が弁体部１５の開方向に作用するとき、流体は弁体部１５に作用する付勢力に抗して弁本体部１５ｂを開き、弁口１５ｃより通過する。
【発明の効果】
【０００８】
本発明の第１・第２発明の下水道管渠用防臭装置Ｓによれば、本体部１５の隔壁１３はその鉛直角度を少なくとも６５°を採ることにより円筒体１２の長さを可及的短くすることができ、このため本防臭装置Ｓの全体は小型化を達成される。これにより、本防臭装置の下水道管渠用枡Ｍへの設置作業、取扱い作業等が容易となる。また、取付け管の管口部の直線長さが短い場合にも有効である。
係止手段は上方係止部９Ａ、側方係止部９Ｂを適宜選択でき、枡の大型、小型、更に矩形断面、円形断面のいずれにも対応できる。
【発明を実施するための最良の形態】
【０００９】
本発明の下水道管用防臭装置の実施の形態を図面に基づいて説明する。
（第１実施形態）
図１は本下水道管用防臭装置を含む下水道管渠用枡Ｍの全体構成を示す。図２〜図１２はその一実施形態（第１実施形態）の下水道管用防臭装置Ｓを示す。すなわち、図２〜図４は本下水道管用防臭装置Ｓの全体の概略構成を示し、図５〜図１２はその各部の構成を示す。以下の説明において、流水の流下方向にみて、下流側を前方とし、上流側を後方とする。
【００１０】
図１に示されるように、下水道管渠用枡Ｍは、側壁体１と底盤２とにより上方に開口する容器部としての本体部が構成され、該開口に取水孔３ａを有する蓋体３が載置される。側壁体１の上縁及び蓋体３は道路面Ｈに面一にされ、道路面Ｈからの雨水・汚水を取水孔３ａを介して該枡Ｍの本体部内に導入する。
本枡Ｍの本体部の底盤２は地盤Ｉを掘削した溝底に敷設された割栗石Ｊ・均しコンクリートＫ上に載置される。
本枡Ｍの側壁体１には底盤２に接して、あるいは若干の高さを存して排水口５が開設され、該排水口５より取付け管６が取り付けられ、下水道本管Ｐへ導かれる。
【００１１】
本下水道管渠用防臭装置Ｓは、該取付け管６の排水口５に臨み、かつ該取付け管６内に取り付けられる。
以下の説明において、図１に示されるように、取付け管６は適宜の下り角度αをもって更に深い位置にある下水本管Ｐに接続されるものであるが、本下水道管渠用防臭装置Ｓはこの角度αに対応して設置されることを想定して説明する。図例では、αは急角度をなすが、特に定められた角度ではない。
【００１２】
下水道管渠用防臭装置Ｓ（図１〜図８参照）
本下水道管渠用防臭装置（以下単に「防臭装置」という）Ｓは、下水道管渠用枡Ｍの取付け管６の排水口部５に配され、当該枡Ｍから下水道本管Ｐへの雨水・排水の流下を図り、下水道本管Ｐからの臭気の逸出を防止するものである。
【００１３】
本防臭装置Ｓは、本体部８を主体とし、該主体部８には閉弁付勢機構を有する弁体を備え、着脱式の係止部９が付置されるとともに、更にスペーサ体１０が装備されることを特徴とする。
【００１４】
本体部８（図２〜図４参照）
本体部８は、円筒体を基体とするとともに後部に配される係止部９の取付け体となり、該円筒体内に所定の弁体すなわち付勢力を付加された枢着式開閉弁が配されてなる。
すなわち、該本体部８は、基体をなす円筒体１２と、該円筒体１２内に円筒管軸に対して所定の角度βをもって横断的に配される隔壁１３と、該隔壁１２に装備される閉弁付勢機構付き弁体１４とを含む。
本実施態様において、通常にはα＋β＞９０°を予定して設定されるが、特別には取付け管が緩傾斜であるが短い場合においては、９０°以下の態様を除外するものではない。
【００１５】
以下、この本体部８内の構成を詳しく説明する。
（円筒体１２）
円筒体１２は、所定厚の直円筒体を基本的構成とし、外径が取付け管６の内径よりも空隙を存して配される小径とされる。そして、円筒体１２の前後長Ｌは可及的短いものとされる。なお、該円筒体１２の前後長Ｌは、後記する隔壁１３の取付け角度、また係合部９の配設位置との関係によって決められる。
円筒体１２の前端は管軸に対して直交して切頭され、後端は概ね管軸の上半分は前端と平行し、下半分は管軸に斜めに切頭される。
【００１６】
（隔壁１３）
隔壁１３は、円筒体１２内の両側及び上面に管軸に対して所定の角度（本実施形態ではβ）をもって横断的に配され、弁体１４の位置を決めるとともに、弁体１４の閉弁により流体（流水、臭気）の遮断をなす。
該隔壁１３は所定厚を有し、上方部１３ａと両側部１３ｂとにより門形をなし、該門形内に矩形状の開口１３ｃを形成する。該開口１３ｃの底部は円筒体１２の内面となり、曲面形状となる。開口１３ｃはいわゆる「弁口」をなす。
【００１７】
（閉弁付勢機構付き弁体１４）
閉弁付勢機構付き弁体１４は弁体部１５と閉弁付勢手段１６とからなり、円筒体１２内において、弁体部１５が隔壁１３の前面に被さる態様をもって、閉弁位置において隔壁１３の開口１３ｃを密閉状に塞いで配される。
((弁体部１５))
本弁体部１５は実質的に所定厚の平板体をなし、上部の取付け部１５ａ、下部の弁本体部１５ｂ、該取付け部１５ａと該弁本体部１５ｂとの間に水平に形成されるヒンジ部としてのＶ溝１５ｃから一体的に形成される。該取付け部１５ａは隔壁１３の上方部１３ａに当接され、１又は複数箇所（本実施形態では３）に対称を保って、適宜の固定具１８（例えばボルト・ナット体）をもって固定される。隔壁１３及び弁体部１５（１５ａ）には該固定具１８を装着するためのボルト挿通孔（図示せず）が開設される。
しかして、弁本体部１５ｂは隔壁１３の側部１３ｂに当接され、Ｖ溝１５ｃを介して開閉動作をなす。詳しくは、弁本体部１５ｂは隔壁１３の上方部１３ａの一部及び側部１３ｂ、更には円筒体１２の内周面に当接させる。隔壁１３の上方部１３ａの一部及び側部１３ｂについては、弁本体部１５ｂの背面が当接され、円筒体１２の内周面については、弁本体部１５ｂの側面が当接される。
上記の機能を発揮する弁体部１５として、適宜の硬度と弾性を有する合成樹脂材よりなり、Ｖ溝１５ｃはヒンジとして機能し、特にポリプロピレン樹脂においてはヒンジ効果（当該部に熱処理される。）が期待される。
また、円筒体１２及び隔壁１３の素材はＡＢＳ樹脂が好適なものとして採用される。
【００１８】
((閉弁付勢手段１６))（図２、図３、図５、図６参照）
閉弁付勢手段１６は弁体部１５の幅方向に１又は複数（本実施形態では１）、かつ対称を保持してＶ溝１５ｃに跨がって配され、弁本体部１５ｂを所定の付勢力により隔壁１３の側部１３ｂの前面すなわち弁座に押し当て、その閉弁機能を保持する。
もっと詳しくは、本閉弁付勢手段１６は弾性を有する素材をもって取付け用基部１６ａとばね部１６ｂとの一体からなり、該取付け用基部１６ａのボルト挿通孔１６ｃを介して適宜の取付け手段（ボルト・ナット、埋込みボルト、接着剤など）をもって弁体部１５の上部の取付け部１５ａに取り付けられる。本実施形態では該取付け手段は先の固定具１８が兼用される。ばね部１６ｂは本閉弁付勢手段１６の機能部をなし、弁体部１５のＶ溝１５ｃを跨いで配され、断面形状において円弧状をなし、その厚さは先端に至るにつれ低減される。また、ばね部１６ｂの円弧部の先端は、自然状態（すなわち無負荷状態）で、取付け用基部１６ａの延長線よりも突出する。
該閉弁付勢手段１６は平面形状で先細状をなす。しかし、この態様に限定されない。該閉弁付勢手段１６の厚さおよび幅変化は弾性力の調整に寄与する。
また、該閉弁付勢手段１６の素材は、特性（ばね弾性値、耐久性加工性、経済性、腐食性など）の関係からポリプロピレン樹脂（ＰＰ）、ポリ塩化ビニル樹脂（ＰＶＣ）、ＡＢＳ樹脂が採用されるが、特に限定されず、他のばね特性を有する素材であれば、他の合成樹脂、金属などを採用することができる。
【００１９】
しかして、本閉弁付勢手段１６は、自然状態すなわち無負荷状態ではばね部１６ｂの先端は取付け用基部１６ａの延長線よりも突出するものであり、定常状態では、そのばね部１６ｂにおいてたわみ変形を受けて弾性をもって弁体部１５の弁本体部１５ｂの上面に当接し、閉弁を保持する。したがって、該閉弁付勢手段１６は常時の無流水時は弁体部１５を押圧付勢し閉弁状態を保持する。換言すれば、強制閉弁作用をなす。
【００２０】
係止部９（図２〜図４参照）
係止部９は、円筒体１２の後端に配され、本防臭装置Ｓの取付け管６への装着において管口５に係合し、該防臭装置Ｓの取付け位置を決める。本実施形態では上方係止部９Ａと側方係止部９Ｂとの２態様を採り、両態様とも着脱可能となっている。
（上方係止部９Ａ）
上方係止部９Ａは、円筒体１２の後端上部より腕部２０が後方へ一体的に延設され、該腕部２０に穿設されたねじ孔２１に係止体２２が螺合されてなる。
係止体２２は円柱体（図例では円錐台状）をなし、根本部にはねじ孔２１に螺合するねじ部２２ａを有し、内部には貫通状の内孔２２ｂが形成される。該内孔２２ｂは適宜省略できる。
該上方係止部９Ａは、本防臭装置Ｓの取付け管６への装着において排水口５の上部に係合する。
（側方係止部９Ｂ）
側方係止部９Ｂは、円筒体１２の後端の両側においてねじ孔２４が穿設され、該ねじ孔２４に係止体２５が螺合されてなる。
本実施形態では、ねじ孔２４は円筒体１２の中心軸平面より若干下方に設けられるが、この態様に限らず、中心面上、また中心面より若干上方に設けられることを妨げるものではない。
該係止体２５の構成は、上方係止部９Ａの係止体２２の構成に準じ、ねじ部２５ａ、内孔２５ｂを有する。
該側方係止部９Ｂは、本防臭装置Ｓの取付け管６への装着において、管口５の両側部又は片側部に係合する。
【００２１】
スペーサー体１０（図２〜図４、図７、図８参照）
スペーサー体１０は、テーパー状の変断面をなす円環体よりなり、本体部８の円筒体１２の前部に嵌合装着され、本防臭装置Ｓと設置対象の取付け管６との隙間を閉塞する。
該スペーサー体１０の断面形状（厚み）は、設置対象の取付け管６との隙間を閉塞するべく次の構成を採る。すなわち、前後において内径Ｄ１は円筒体１２の外径と同一の一定径とされ、後部において、外径Ｄ２は一定幅にわたって取付け管６の内径と同一又は若干の大径とされる。そして、外径は前部に至るにつれ、上部では次第に縮小され、側面部では上部の外径と下部の外径とを滑らかに連ねた曲面とされる。これにより、該スペーサー体１０は円筒体１２を取付け管６の下底へ接近させて押し付けるとともに、円筒体１２と取付け管６との水密を保持する。
該スペーサー体１０の円筒体１２への装着において、好ましくは、該円筒体１２の前端部及び中間部には突条２７ａ，２７ｂが突設されるが、これらは適宜省略できる。
該スペーサー体１０の素材は他の部材とは異なり、若干の柔軟性を有するもの及び又は水密性のある発泡体が選ばれる。
なお、該スペーサー体１０は省略されうるものであり、これに替えて円筒体１２と取付け管６との間に充填材が充填される。
【００２２】
諸元
本実施形態の防臭装置Ｓの諸元の一例を示す。
円筒体１２につき、その内径１２８ｍｍ、外径１３５ｍｍ、前後長Ｌ８２ｍｍ、腕部２０との合計長１１０ｍｍを採る。係止体２２，２５の長さは２５ｍｍ、スペーサ体１０の最大外径は１５８ｍｍを採る。
【００２３】
設置の態様
本実施形態では、特に取付け管６の設置角度αが３０°を超えることを想定して構成されたものであり、更に前記したように、当該αに対応して他の角度要素、すなわち弁体１４の閉弁角度βが設定される。これにより、弁体１４は垂直（すなわち９０°）を超える角度を採り、閉弁付勢手段１６により常時は閉弁状態を採る。
しかし、設置角度αが３０°以下の態様を除外するものではなく、この場合において、弁体１４は９０°以下となるが、閉弁付勢手段１６により常時においても閉弁状態を採ることに変わりはない。
【００２４】
（本実施形態の作用）
以上の構成よりなる本防臭装置Ｓは、所期の状態で下水道管渠用枡Ｍの取付け管６に対して取り付けられ、また、所期の機能として排水並びに防臭作用を発揮する。
【００２５】
取付け
本防臭装置Ｓの下水道管渠用枡Ｍへの取付け作業において、本防臭装置Ｓには予めスペーサ体１０が装着され、また、取付け管６の排水口５に対する係止部９（９Ａ，９Ｂ）が取り付けられる。
下水道管渠用枡Ｍの開口より本防臭装置Ｓを挿入し、本防臭装置Ｓの本体部１２を取付け管６の排水口５に臨ませ、該本体部１２を取付け管６の設置角度αに対応して該取付け管６内に挿入する。この本体部１２を取付け管６内に押し込において、適宜の操作器具を介して、あるいは介さずに手作業でなされる。
取付け管６は所定の設置角度αで下方に傾斜し、該本体部１２に装着されたスペーサ体１０の前端はテーパー状となっており、この挿入操作を円滑になす。加えて、更なる本体部１２の押込みにより、そのスペーサー体１０の取付け管６の内壁との弾圧作用により本体部１２は取付け管６の下方へ押し付けられ、取付け管６との隙間は閉塞される。
本体部１２を更に押し込み、係止部９の係止筒２２，２５は排水口５に係合する。これにより、本防臭装置Ｓは所定位置に取り付けられる。
【００２６】
取外し
下水道管渠用枡Ｍから本防臭装置Ｓを取り外す場合、係止部９の係止筒２２，２５の内孔２２ｂ，２５ｂに適宜の治具を係止させ、該治具を介して本防臭装置Ｓを取付け管６より引き抜く。この引抜き作業は、係止筒２２が排水口５に露出して係止されていることにより、容易になされる。なお、治具に機械装置を連動することも、治具を介さず手動によることも可能である。
【００２７】
取付け・取外し治具１００（図９参照）
叙上の取付け・取外し作業は図９にその一例を示す取付け・取外し治具１００を使用すると便利である。
この取付け・取外し治具１００は、所定の長さを有する円筒状の把持杆１１０、該把持杆１１０の一端部に所定の角度γをもって固設される円板状の押圧用円板１２０、該把持杆１１０の他端部に直交状に固設される矩形板状の引抜き用平板１３０よりなる。
しかして、取付け作業において、該取付け・取外し治具１００の把持杆１１０を把持して取付け管６に挿入するとき、押圧用円板１２０は隔壁１３の背面に密接状に当接され、本防臭装置Ｓへの押込み力を付加し、本防臭装置Ｓを円滑に取付け管６内に装着される。
また、取外し作業において、取付け・取外し治具１００の引抜き用平板１３０を隔壁１３の弁口１３ｃを介して隔壁１３の前面に係合させ、把持杆１１０を把持して、本防臭装置Ｓを引き抜く。
【００２８】
閉弁作用・防臭作用
本防臭装置Ｓは傾斜角度αをなす取付け管６内に所定の状態で取り付けられ、常時において閉弁状態を保持する。
すなわち、本体部８において、弁体１４の弁体部１５は傾斜状態βをもって隔壁１３の開口１３ｃを閉塞する。この閉弁作用は閉弁付勢手段１６の付勢作用、すなわち弁体部１５の弁本体部１５ｂへの押付け力により密閉性を保持し、妄動はない。取付け管６と本体部８との間隙はスペーサー体１０によって密封されている。
そして、取付け管６の設置角度αが急傾斜をなし、本防臭装置Ｓの隔壁１３の角度が鉛直を超えるとき、閉弁付勢手段１の付勢作用により弁体１４は確実に弁座に当接され、弁口１３ｃを塞ぎ、閉弁作用を持続する。
この弁体１４の閉弁により、下水道本管Ｐからの臭気は遮断される。
【００２９】
排水作用
本防臭装置Ｓは上記の状態で取付け管６内に取り付けられ、流水の流入時において排水作用をなす。
今、降雨があったとき、雨水が雨水枡Ｍに流れ込み、排水口５まで上昇し、
取付け管６より下水道本管Ｐへ排出される。
流水は水圧をもって閉弁付勢手段１６による弁体部１５への付勢力に抗して弁体部１５を開き、流下する。この作用は、弁体部１５が常態の傾斜角度を保持する場合においても、また、弁体部１５が９０°を超える場合においても同様である。
本実施形態においては、弁体部１５の枢着部は円筒体１２の８割水深を占め、満水常態になることなく、大量の流水に対して効率的な排水がなされる。
【００３０】
（本実施形態の効果）
本実施形態の防臭装置Ｓによれば、取付け管６への装着作業に際して挿入操作が容易で、作業効果が向上する。また、取外し操作においても、係止筒２２が排水口５に露出して係止されていることにより、容易になされる。
取付け後は、常時に閉弁状態を維持し、防臭作用をなすとともに、流水の流入に対しても確実に対処できる。すなわち、本防臭装置Ｓがどのような傾斜をもって取付け管６内に配されたとしても、特には弁体１４が鉛直を超える状態となるとき、本閉弁付勢手段１６の付勢作用により弁体１４は確実に閉弁作用を発揮する。
【００３１】
（他の実施態様１）（図１０参照）
図１０に本実施形態の防臭装置の別の態様の副弁を備えた防臭装置Ｓ１を示す。
本防臭装置Ｓ１において、弁体部１５の弁本体部１５ｂの上部に開口３０が開設され、かつ、隔壁１３の背面上部より該開口３０に臨んで弁体部１５と逆方向に開閉する副弁としての開閉弁３１が配される。そして、この副弁の開閉弁３１に対して、閉弁付勢手段３２が該開閉弁３１の固定部と弁本体部とに跨がって配される。該閉弁付勢手段３２の構成は、前記した閉弁付勢手段１６とほぼ同構成であり、小型化されたものである。該閉弁付勢手段３２の取付け用基部を介しての取付けはボルト・ナットによることも、接着剤によることも自由である。
【００３２】
本態様による臭気防止装置Ｓ１によれば、取付け管６から発生する臭気は、本臭気防止装置Ｓ１における弁体１４及び副弁３１により閉塞され、地上へは逸出しない。すなわち、弁体１４の弁体部１５及び弁体１４に付加される副弁３１はともに閉弁付勢手段１６及び３２により閉弁方向に付勢された付勢力により確実に閉弁される。
雨水枡Ｍでの流入水につき、排水口５より流出する流水はその水圧により弁体部１５に付加的に作用する閉弁付勢手段１６の付勢力に抗して弁体部１５を押し開き、下水道本管Ｐへ排出する。
そして、下水道本管Ｐ内での異常圧の発生については、副弁３１が開弁し、該下水道本管Ｐ内での異常圧を円滑に逃がし、該異常圧による損壊は防止される。
【００３３】
（他の実施態様２）（図１１、図１２参照）
図１１、図１２に本実施形態の防臭装置の別の態様の防臭装置Ｓ２を示す。
本防臭装置Ｓ２は、既製の小型塩ビ下水道用枡へ適用して好適である。
該小型塩ビ下水道用枡は、塩化ビニル（ＰＶＣ）樹脂製よりなり、枡本体部（立管）が小径をなすとともに、その枡本体の底部にインバートを介し、介さずして排水管（取付け管）が連設される。該排水管は短く、その先端に急傾斜の現場での取付け管が連設されるものである。
本防臭装置Ｓ２は、その構成は先の実施形態の防臭装置Ｓ１，Ｓ２に準じる。  本体部８の後部の円筒体１２において、係止部９の２つの側方係止部９Ｂが取り外され、そのねじ孔２４に嵌着され、円筒体１２の後部回りに庇体３５が装着固定される。
該庇体３５の本体部は硬質製素材をもって半円筒断面をもって形成され、内径面３５ａの上部には側方係止部９Ｂのねじ孔２４に嵌合される円板凸部３６を有する。該庇体３５の内径面３５ａは、本体部８の後部の円筒体１２に一致するものであり、外径面３５ｂはその底面部（最下底部）において本体部１２に装着されるスペーサ体１０の底面に面一となる。また、この外径面３５ｂは小型塩ビ下水道用枡のインバートの径に合致するものであり、インバートとの馴染みを図るため若干の粗面となっている。
この防臭装置Ｓ２は、小型塩ビ下水道用枡の排水管（取付け管）の管口部へ装着されるとき、滑りに加え円筒体１２が短尺であることから不安定性を免れず、その滑りを防止して安定な固定作用を得る。
【００３４】
（第２実施形態）
本発明の他の実施形態（第２実施形態）の防臭装置を図１３、図１４に示す。
本防臭装置Ｓ２においては、急傾斜の取付け管への適用に限定されず、緩傾斜の一般の取付け管への適用を含む。
図１３、図１４はその構成の一例を示すものであって、その他の構成は先の図面に示されている。図において、先の実施形態と同等の部材については同一の符号が付される。
本防臭装置Ｓ２において、本体部８につき、円筒体１２の前後長Ｌが長くされるとともに、隔壁１３が緩傾斜をもって配されてなる。それ以外の構成については先の実施形態の構成と実質的に同一である。すなわち、隔壁１３に装着される閉弁付勢機構付き弁体１４、及び本体部８に付置される係止部９（９Ａ，９Ｂ）並びにスペーサ体１０の構成は、先の実施形態に準じる。また、副弁３１も装着されうる。
【００３５】
以下、更に本実施形態について詳しく説明する。
（円筒部１２）
円筒部１２は、その前後長は長くされる。
（隔壁１３）
隔壁１３は円筒部１２内において、緩傾斜の角度βをもって配される。本実施形態において、βは５０°程度を採るが、それ以外であってもよい。なお、目安としてβは３０°〜５５°程度を採る。
（閉弁付勢機構付き弁体１４）
閉弁付勢機構付き弁体１４においては隔壁１３に対応する弁本体１５は当然に緩傾斜の角度βをもって配されるが、それ以外は実質的に先の実施形態と同等の構成を採る。
また、本実施形態に特徴的なことは、弁本体部１５ｂにスカート体３８が装着されることである。
((スカート体３８))
スカート体３８は、平面形状が所定幅のＵ字状をなす合成樹脂製のフィルム体よりなり、弁本体部１５ｂの前部の下部の縁部に沿ってその内側部３８ａが固着される。外側部３８ｂは自由端となっており、該部３８ｂにより密封作用を発揮する。なお、幅は若干の変化はあり、換言すれば幅に限定を受けない。該スカート３８の弁本体部１５ｂの縁部に固着され、その開放端３８ｂは隔壁１３の前面及び円筒体１２の内部下面及び前端面に跨がって配される。
本スカート３８は、長期の使用により弁体部１５に反りが生じ、隔壁１３との間に隙間が生じる場合、その気密性を保証し、防臭作用を持続する。
なお、該スカート３８にはポリプロピレン、ＡＢＳ樹脂、ポリエチレン樹脂が使用されるが、ポリプロピレンが好適であって、熱溶着をもって弁体部１５に固着される。
（係止部９・スペーサ体１０）
係止部９（９Ａ，９Ｂ）及びスペーサ体１０の構成は、先の実施形態Ｓ１、Ｓ２に準じる。
【００３６】
（本防臭装置Ｓ２の作用・効果）
本臭気防止装置Ｓ２は、下水道用枡Ｍにおいて一般の緩傾斜の取付け管へ挿入設置される。設置状態において、弁体１４は９０°未満（通常には８０°程度）を採り、自重による閉弁作用に左右されず、該弁体１４の弁体部１５は付勢手段１６により密封性を保つ。係止部９は上方係止部９Ａ、側方係止部９Ｂが適宜選択的に使用され、大型枡、小型枡、角形断面枡、円形断面枡のどの態様にも対応することができる。スペーサ体１０は円筒体１２と取付け管６との隙間の水密を保つ。
本臭気防止装置Ｓ２は、先の実施形態の臭気防止装置Ｓ，Ｓ１の短尺性の利点が失われるが、密封性については良好であり、係止部９については枡体Ｍへの取付け性、変更性の利便性を有し、スペーサ体１０については取付け管６との水密が良好である。そして、更に、スカート体３８により長期の気密性も保持される。
【００３７】
本発明は叙上の実施の形態にのみ限定されるものではなく、本発明の基本的技術思想の範囲内で種々設計変更が可能である。
【図面の簡単な説明】
【００３８】
【図１】本発明の一実施形態の閉弁付勢手段を備えた下水道管渠用防臭装置を含む下水道管渠用枡部の全体を示す断面構成図。
【図２】本実施形態の防臭装置の中央縦断面図（図３、図４の２−２線断面図）。
【図３】本防臭装置の背面図（図２、図４の３方向矢視図）。
【図４】本防臭装置の平面図。
【図５】閉弁付勢手段の一態様の断面図（図５の４−４線断面図）。
【図６】閉弁付勢手段の一態様の断面図（図５の４−４線断面図）。
【図７】スペーサ体の中央縦断面図（図８の７−７線断面図）。
【図８】スペーサ体の一部背面図（図７の８ａ方向矢視図）、一部断面図（図７の８ｂ−８ｂ線断面図）。
【図９】取付け・取外し治具の一態様を示し、(a) 図はその側面図、(b) 図は(a) 図の９ａ方向矢視図、(c) 図は(a) 図の９ｂ方向矢視図。
【図１０】副弁を備えた防臭装置の副弁部を示す部分図。
【図１１】庇体を備えた防臭装置の他の態様を示す図。
【図１２】図１１の１２−１２線断面図。
【図１３】本発明の他の実施形態の閉弁付勢手段を備えた下水道管渠用臭気防止装置の全体の構成を示す縦断面図。
【図１４】図１３の１４方向矢視図。
【符号の説明】
【００３９】
Ｓ，Ｓ１，Ｓ１，Ｓ３…下水道管路用防臭装置、Ｍ…下水道管路用枡、５…排水口、６…取付け管、８…本体部、９…係止部、９Ａ…上方係止部、９Ｂ…側方係止部、１０…スペーサ体、１２…円筒体、１３…隔壁、１３ａ…上方部、１３ｂ…側部、１３ｃ…開口、１４…閉弁付勢機構付き弁体、１５…弁体部、１５ａ…取付け部、１５ｂ…弁本体部、１５ｃ…Ｖ溝、１６…閉弁付勢手段、１６ａ…取付け用基部、１６ｂ…ばね部、３１…副弁、３２…閉弁付勢手段、３５…庇体、３８…スカート体
【図１】
0004922892.tif 000002
【図２】
0004922892.tif 000003
【図３】
0004922892.tif 000004
【図４】
0004922892.tif 000005
【図５】
0004922892.tif 000006
【図６】
0004922892.tif 000007
【図７】
0004922892.tif 000008
【図８】
0004922892.tif 000009
【図９】
0004922892.tif 000010
【図１０】
0004922892.tif 000011
【図１１】
0004922892.tif 000012
【図１２】
0004922892.tif 000013
【図１３】
0004922892.tif 000014
【図１４】
0004922892.tif 000015